(57)【特許請求の範囲】
【請求項１】
内側面に少なくともディスプレイが配置された上側筐体部と、内側面に少なくともダイヤル入力や機能選択のための各種キーが配置された下側筐体部とが、各々の端部で回動自在に回動機構により結合され、前記上側筐体部と前記下側筐体部の各内側面が密接した折畳状態か、各内側面が離間した開状態のいずれかとされる折畳型携帯電話機において、
前記上側筐体部と前記下側筐体部とが前記折畳状態か前記開状態かを検出して開閉検出信号を出力する開閉検出手段と、
前記折畳状態でも操作可能な位置に配置されたスイッチと、
使用可能な全機能のうち、予め所望の機能を制限する機能制限状態に設定する機能制限手段と、
前記折畳状態か前記開状態かのいずれであるかの開閉状態と前記スイッチの操作の有無状態の組み合わせに対応して状態を４種類に分類し、該４種類の分類を重複を許して任意の順番で選択された任意の数の分類からなる分類列と該分類列を構成する分類の数を記憶する記憶手段と、
前記開閉検出手段からの前記開閉検出信号と前記スイッチからのスイッチ操作状態を示す操作信号とを入力として受け、前記折畳状態及び前記開状態のいずれであるかの開閉判定と、前記スイッチの操作の有無判定とを行う開閉・スイッチ操作判定手段と、
前記開閉・スイッチ操作判定手段の判定結果を入力として受け、現在の状態が前記４種類の分類のいずれであるか判定することを繰り返して得られる分類列及び該分類列を構成する分類の数と、前記記憶手段に記憶されている前記分類列及び該分類列の数とを比較照合して、一致するとき前記機能制限手段による機能制限状態を解除する機能制限解除手段と
を有することを特徴とする折畳型携帯電話機。
【請求項２】
前記記憶手段は、前記分類列が得られるように、実際に前記折畳状態又は前記開状態とする開閉操作を繰り返して得られた分類列と、該開閉操作の操作回数とを共に記憶部に記憶する手段であることを特徴とする請求項１記載の折畳型携帯電話機。
【請求項３】
前記記憶手段は、前記４種類の分類をメニュー選択により選択された分類を選択順に、かつ、選択数を前記分類列と該分類列を構成する分類の数として記憶部に記憶する手段であることを特徴とする請求項１記載の折畳型携帯電話機。
【請求項４】
内側面に少なくともディスプレイが配置された上側筐体部と、内側面に少なくともダイヤル入力や機能選択のための各種キーが配置された下側筐体部とが、各々の端部で回動自在に回動機構により結合され、前記上側筐体部と前記下側筐体部の各内側面が密接した折畳状態か、各内側面が離間した開状態のいずれかとされる折畳型携帯電話機において、
前記上側筐体部と前記下側筐体部とが前記折畳状態か前記開状態かを検出して開閉検出信号を出力する開閉検出手段と、
前記折畳状態でも操作可能な位置に配置されたスイッチと、
前記折畳状態か前記開状態かのいずれであるかの開閉状態と前記スイッチの操作の有無状態の組み合わせに対応して状態を４種類に分類し、該４種類の分類を重複を許して任意の順番で選択された任意の数の分類からなる分類列と該分類列を構成する分類の数を、予め用意された複数種類の機能設定のうち選択した機能設定に対応させて記憶する記憶手段と、
前記開閉検出手段からの前記開閉検出信号と前記スイッチからのスイッチ操作状態を示す操作信号とを入力として受け、前記折畳状態及び前記開状態のいずれであるかの開閉判定と、前記スイッチの操作の有無判定とを行う開閉・スイッチ操作判定手段と、
前記開閉・スイッチ操作判定手段の判定結果を入力として受け、現在の状態が前記４種類の分類のいずれであるか判定することを繰り返して得られる分類列及び該分類列を構成する分類の数と、前記記憶手段に記憶されている前記分類列及び該分類列の数とを比較照合して、一致するとき該記憶手段に記憶された該分類列に対応する前記選択した機能設定に切り替える機能設定切替手段と
を有することを特徴とする折畳型携帯電話機。
【請求項５】
前記機能設定切替手段は、前記記憶手段に同一の分類列に対応して異なる複数の機能設定が記憶されているときには、前記比較照合により該同一の分類列に一致する毎に、前記複数の機能設定を順次巡回的に切り替えることを特徴とする請求項４記載の折畳型携帯電話機。
【請求項６】
前記機能設定切替手段は前記記憶手段に記憶する前記複数の機能設定として、前記ディスプレイの電源オフ及び前記各種キーのキー入力を無効とする折畳モードと、すべての機能が使える通常モードと、予めユーザが任意に設定した任意モードのうちの少なくとも一つのモードを含むことを特徴とする請求項４記載の折畳型携帯電話機。
【請求項７】
前記機能設定切替手段は、前記記憶手段に分類列に対応して前記機能設定として所望の機能を制限する機能制限が記憶されているときには、前記比較照合により前記記憶手段に記憶されている前記分類列に一致する毎に、前記機能制限の設定と該機能制限の設定解除とを交互に切り替えることを特徴とする請求項４記載の折畳型携帯電話機。
【請求項８】
前記開閉・スイッチ操作判定手段は、前記開閉検出手段からの前記開閉検出信号が変化した時点の、前記スイッチからのスイッチ操作状態を示す操作信号の論理値に基づいて、前記折畳状態及び前記開状態のいずれであるかの開閉判定と、前記スイッチの操作の有無判定とを行うことを特徴とする請求項１乃至７のうちいずれか一項記載の折畳型携帯電話機。
【請求項９】
前記開閉・スイッチ操作判定手段は、前記開閉検出手段からの前記開閉検出信号が変化した時点から予め任意に設定された時間内の、前記スイッチからのスイッチ操作状態を示す操作信号の論理値に基づいて、前記折畳状態及び前記開状態のいずれであるかの開閉判定と、前記スイッチの操作の有無判定とを行うことを特徴とする請求項１乃至７のうちいずれか一項記載の折畳型携帯電話機。
【発明の詳細な説明】
【０００１】
【発明の属する技術分野】
本発明は折畳型携帯電話機に係り、特に上側筐体部と下側筐体部とを不使用時は閉じた折畳状態とし、使用時は開状態とする折畳型携帯電話機に関する。
【０００２】
【従来の技術】
最近の携帯電話機は電子メールや着信メロディ、ブラウザ等の多彩な機能が搭載されている。また、携帯電話機においては、折畳機構が、表示部を大きくすることが可能であることや、折り畳むことにより携帯性を高め得るなどの理由から採用されている。この折畳機構を採用した折畳型携帯電話機では、上側筐体部と下側筐体部とがヒンジ機構により開閉される構造とされており、通常、上側筐体部の内側面には受話用スピーカや表示部（ディスプレイ）が配置され、下側筐体部の内側面には、例えば送話用マイクや各種操作キーが配置されているため、不使用時には上側筐体部と下側筐体部の各内側面を密接させた折畳状態とし、使用時に上側筐体部と下側筐体部とを離間させた開状態としている。
【０００３】
一方、携帯電話機では近年、益々機能が増加する傾向にあり、この機能増加に伴い機能選択に必要なキー操作が増加している。特に小型な携帯電話機では設置できるキー数が限られているため、必然的にメニューが多様、多層化されて操作の手順数が増加している。
【０００４】
【発明が解決しようとする課題】
しかるに、折畳型携帯電話機では、小型・軽量化が要求されるために、装置筐体を大きくできず、近年の多彩な機能を実現するためには、少ないキー数で多様な操作を行う必要があり、操作が煩雑で面倒であり、また誤操作の可能性も高いという問題がある。
【０００５】
本発明は以上の点に鑑みなされたもので、必須操作である開閉操作に機能選択操作を付加することにより、機能選択の簡易化を実現し得る折畳型携帯電話機を提供することを目的とする。
【０００６】
また、本発明の他の目的は、操作性の良好な多機能の折畳型携帯電話機を提供することにある。
【０００７】
【課題を解決するための手段】
本発明は上記の目的を達成するため、内側面に少なくともディスプレイが配置された上側筐体部と、内側面に少なくともダイヤル入力や機能選択のための各種キーが配置された下側筐体部とが、各々の端部で回動自在に回動機構により結合され、上側筐体部と下側筐体部の各内側面が密接した折畳状態か、各内側面が離間した開状態のいずれかとされる折畳型携帯電話機において、上側筐体部と下側筐体部とが折畳状態か開状態かを検出して開閉検出信号を出力する開閉検出手段と、折畳状態でも操作可能な位置に配置されたスイッチと、使用可能な全機能のうち、予め所望の機能を制限する機能制限状態に設定する機能制限手段と、折畳状態か開状態かのいずれであるかの開閉状態とスイッチの操作の有無状態の組み合わせに対応して状態を４種類に分類し、４種類の分類を重複を許して任意の順番で選択された任意の数の分類からなる分類列と分類列を構成する分類の数を記憶する記憶手段と、開閉検出手段からの開閉検出信号とスイッチからのスイッチ操作状態を示す操作信号とを入力として受け、現在の状態が４種類の分類のいずれであるか判定することを繰り返して得られる分類列及び分類列を構成する分類の数と、記憶手段に記憶されている分類列及び分類列の数とを比較照合して、一致するとき機能制限手段による機能制限状態を解除する機能制限解除手段とを有する構成としたものである。
【００１２】
この発明では、ユーザが予め設定した機能制限状態を、ユーザが決定して記憶手段に記憶されている分類列と同じ分類列が入力されるように、開閉操作及びスイッチ操作を行わない限り、機能制限状態が解除されないようにできる。
【００１３】
ここで、上記の記憶手段は、分類列が得られるように、実際に折畳状態又は開状態とする開閉操作を繰り返して得られた分類列と、開閉操作の操作回数とを共に記憶部に記憶する手段であることを特徴とする。
【００１４】
また、記憶手段は、４種類の分類をメニュー選択により選択された分類を選択順に、かつ、選択数を分類列と分類列を構成する分類の数として記憶部に記憶する手段であることを特徴とする。
【００１５】
また、本発明は上記の目的を達成するため、内側面に少なくともディスプレイが配置された上側筐体部と、内側面に少なくともダイヤル入力や機能選択のための各種キーが配置された下側筐体部とが、各々の端部で回動自在に回動機構により結合され、上側筐体部と下側筐体部の各内側面が密接した折畳状態か、各内側面が離間した開状態のいずれかとされる折畳型携帯電話機において、上側筐体部と下側筐体部とが折畳状態か開状態かを検出して開閉検出信号を出力する開閉検出手段と、折畳状態でも操作可能な位置に配置されたスイッチと、折畳状態か開状態かのいずれであるかの開閉状態とスイッチの操作の有無状態の組み合わせに対応して状態を４種類に分類し、４種類の分類を重複を許して任意の順番で選択された任意の数の分類からなる分類列と分類列を構成する分類の数を、予め用意された複数種類の機能設定のうち選択した機能設定に対応させて記憶する記憶手段と、開閉検出手段からの開閉検出信号とスイッチからのスイッチ操作状態を示す操作信号とを入力として受け、折畳状態及び開状態のいずれであるかの開閉判定と、スイッチの操作の有無判定とを行う開閉・スイッチ操作判定手段と、開閉・スイッチ操作判定手段の判定結果を入力として受け、折畳状態及び開状態のいずれであるかの開閉判定と、スイッチの操作の有無判定とを行う開閉・スイッチ操作判定手段と、開閉・スイッチ操作判定手段の判定結果を入力として受け、現在の状態が４種類の分類のいずれであるか判定することを繰り返して得られる分類列及び分類列を構成する分類の数と、記憶手段に記憶されている分類列及び分類列の数とを比較照合して、一致するとき記憶手段に記憶された分類列に対応する選択した機能設定に切り替える機能設定切替手段とを有する構成としたものである。
【００１６】
この発明では、予め用意された複数種類の機能設定のうち、ユーザが決定して記憶手段に記憶されている分類列と同じ分類列が入力されるように、開閉操作及びスイッチ操作を行うことにより、入力した分類列に対応する機能設定に切り替えることができる。
【００１７】
ここで、上記の機能設定切替手段は、記憶手段に同一の分類列に対応して異なる複数の機能設定が記憶されているときには、比較照合により同一の分類列に一致する毎に、複数の機能設定を順次巡回的に切り替えることを特徴とする。
【００１８】
また、上記の機能設定切替手段は、記憶手段に記憶する複数の機能設定として、ディスプレイの電源オフ及び各種キーのキー入力を無効とする折畳モードと、すべての機能が使える通常モードと、予めユーザが任意に設定した任意モードのうちの少なくとも一つのモードを含むことを特徴とする。
【００１９】
また、上記の機能設定切替手段は、記憶手段に分類列に対応して機能設定として所望の機能を制限する機能制限が記憶されているときには、比較照合により記憶手段に記憶されている分類列に一致する毎に、機能制限の設定と機能制限の設定解除とを交互に切り替えることを特徴とする。
【００２０】
更に、本発明は、上記の開閉・スイッチ操作判定手段を、開閉検出手段からの開閉検出信号が変化した時点の、スイッチからのスイッチ操作状態を示す操作信号の論理値に基づいて、折畳状態及び開状態のいずれであるかの開閉判定と、スイッチの操作の有無判定とを行うことを特徴とする。この発明では、開閉判定とスイッチ操作の有無判定を確実に行うことができる。
【００２１】
また更に、本発明は、上記の開閉・スイッチ操作判定手段を、開閉検出手段からの開閉検出信号が変化した時点から予め任意に設定された時間内の、スイッチからのスイッチ操作状態を示す操作信号の論理値に基づいて、折畳状態及び開状態のいずれであるかの開閉判定と、スイッチの操作の有無判定とを行うことを特徴とする。この発明では、ユーザが任意に設定した時間内にスイッチ操作を行うことにより、開閉判定とスイッチ操作の有無判定とを行う。
【００２２】
【発明の実施の形態】
次に、本発明の実施の形態について図面と共に説明する。図１は本発明になる折畳型携帯電話機の一実施の形態の概略外観斜視図、図２は本発明になる折畳型携帯電話機の一実施の形態のブロック図を示す。両図中、同一構成部分には同一符号を付してある。図１に示すように、本実施の形態の折畳型携帯電話機１は、下側筐体部２と上側筐体部３とが、各々の端部でヒンジ機構４により回動自在に結合され、互いの内側面が密接する折畳状態（閉状態）又は互いに所定角度間隔離れる開状態となるように構成されている。
【００２３】
下側筐体部２の上側筐体部３と密接する内側表面には、ダイヤル入力等に用いる数字キーと機能選択のためのメニューキー等の各種キーからなるボタンスイッチ７と送話用マイク１２が配置されており、また折畳状態でも押下可能なように側面にスイッチ９が形成されており、更に下側筐体部２の内部には図２に示す制御全般を行う中央処理装置（ＣＰＵ）６、図示しない基地局との間で無線通信を行う無線部１０及びデータの記憶読み出し、プログラムの記憶を行うメモリ１１などが設けられている。また、上側筐体部３は、下側筐体部２と対向する内側面に、情報表示用のディスプレイ８と受話用スピーカ１３が配置されている。なお、無線部１０には音声信号の変復調部も含まれている。
【００２４】
また、下側筐体部２又は上側筐体部３には下側筐体部２と上側筐体部３とが閉じた折畳状態か、開いた開状態のいずれかであるかを検出する図２に示す開閉検出回路５が設けられている。この開閉検出回路５としては、例えば上側筐体部３の所定位置に固定された磁石と、その磁石の磁界の有無を検出する下側筐体部２に設けられているセンサとから構成されており、折畳状態では上記の磁石がセンサに最も近接することから磁石の磁界を検出できるので折畳状態と検出でき、一方開状態では上記の磁界を検出できないことから開状態と検出できる。
【００２５】
折畳型携帯電話機１は、電話機本体を下側筐体部２と上側筐体部３とで分割し、これらをヒンジ機構４で連結することにより折畳可能な構成としており、使用時は開いて使用し、未使用時は折り畳んでいる。この開閉状態に合わせて、折畳型携帯電話機１はモード切替を行っている。
【００２６】
また、開閉検出回路５は、下側筐体部２と上側筐体部３との開閉状態を検出する回路で、下側筐体部２と上側筐体部３との内側面が密接対向した折畳状態では、折畳状態を示す論理値の開閉検出信号を図２のＣＰＵ８へ送出し、下側筐体部２と上側筐体部３とが所定角度離間した開状態では、開状態を示す論理値の開閉検出信号をＣＰＵ８へ送出する。ＣＰＵ８は、この開閉検出信号の論理値に基づき、折畳型携帯電話機１のモードを切り替えている。
【００２７】
開閉状態によるモードは従来の折畳型携帯電話機の場合、開状態と折畳状態で２種類のモードを切り替えている。すなわち、従来は開状態では発着信、電子メール等の殆どの機能が使えるモード（以下、「通常モード」という）に切り替え、折畳状態ではディスプレイ８の電源オフ、ボタンスイッチ７のキー機能を無効やキー機能切り替えをしたモード（以下、「折畳モード」という）にして開閉の状態に合わせてモードを切り替えている。なお、通常モードの動作は、携帯電話機では周知であり、また本発明の要旨ではないので、その説明は省略する。
【００２８】
これに対し、本発明の第１の実施の形態では、開閉操作時にスイッチ９の操作の有無を判断することでモード切替の条件判断を１つ増やし、これにより開閉時のモード切替を従来の折畳型携帯電話機の開状態時の通常モードと折畳状態時の折畳モードの２つだけでなく、スイッチ９の操作の有無によって他のモードを選択することができるようにしたものである。
【００２９】
すなわち、第１の実施の形態では、開閉操作とスイッチ９の操作により、（１）折畳状態のときの折畳モード、（２）スイッチ９を押下せずに開状態のときの通常モード、及び（３）スイッチ９を押下し、かつ、開状態のときの任意モードの、計３種類のモード切替を可能としている。
【００３０】
次に、第１の実施の形態の動作について説明する。まず、スイッチ９を操作する（押下する）と共に、開状態としたときに設定される任意モードを折畳型携帯電話機１に予め設定する。この任意モードは、ユーザが任意に選択することができ、「発着信不可モード」、「電子メールモード」、「簡易操作モード」等から１つ選択する。これらの任意モードについては後述する。
【００３１】
次に、開状態から折畳状態に変更した時の本実施の形態の動作について、図３のフローチャートを併せ参照して説明する。通常モード、任意モードに拘らず、折畳型携帯電話機１が開状態にある場合、開閉検出回路５は開状態を示す開閉検出信号をＣＰＵ６へ送出している。この開状態の折畳型携帯電話機１の上側筐体部３を下側筐体部２と密接するように閉じて折畳状態とすると（ステップＡ１）、開閉検出回路５は下側筐体部２と上側筐体部３とが閉じたことを検出し（ステップＡ２）、折畳状態を示す開閉検出信号をＣＰＵ６に送出する（ステップＡ３）。ＣＰＵ６は、入力された開閉検出信号が開状態を示しているかどうか判定し（ステップＡ４）、ここでは開状態を示していないので、折畳状態と判断して折畳モードとする（ステップＡ５）。
【００３２】
次に、折畳状態から開状態に変更した場合の本実施の形態の動作について図３のフローチャートを併せ参照して説明する。折畳型携帯電話機１が折畳状態にあるとき、開閉検出回路５からの折畳状態を示す開閉検出信号がＣＰＵ６に送出されており、これによりＣＰＵ６は折畳型携帯電話機１を折畳モードの状態にしている。この折畳状態の折畳型携帯電話機１の上側筐体部３を開くと（ステップＡ１）、開閉検出回路５は下側筐体部２と上側筐体部３とが離れたことを検出し（ステップＡ２）、開状態を示す開閉検出信号をＣＰＵ６に送出する（ステップＡ３）。
【００３３】
ＣＰＵ６は、入力された開閉検出信号が開状態を示しているかどうか判定し（ステップＡ４）、ここでは開状態を示しているので、次にスイッチ９の押下の有無状態を、スイッチ９から供給されるスイッチ操作信号の論理値に基づいて検出する（ステップＡ６）。ＣＰＵ６は、スイッチ９の押下の有無に応じて２種類のモードの一方モードに設定する。
【００３４】
すなわち、図４（Ａ）に示すようにスイッチ９が押下なしの状態で、同図（Ｂ）に示すように開閉検出信号が開状態に変化したときには、ＣＰＵ６は折畳型携帯電話機１を通常モードに変更する（ステップＡ７）。一方、図４（Ｃ）に示すようにスイッチ９が押下状態にあるときに、同図（Ｄ）に示すように開閉検出信号が開状態に変化したときには、ＣＰＵ６は折畳型携帯電話機１を任意モードに変更する（ステップＡ８）。なお、任意モードの内容、動作については後述する。
【００３５】
なお、上記の例では、開閉検出信号が変化した瞬間のスイッチ９の押下状態で状態を判定しているが、他の判定方法として、開閉検出信号が変化してからスイッチ９の押下までのタイミングをユーザが任意に判定する方法がある。この場合、開閉検出信号の変化から任意の時間内にスイッチ９が押下されれば、開閉状態変化時にスイッチ９を押下したものとして判定する。このときの時間はユーザが任意に設定する。
【００３６】
次に、任意モードの内容、動作について説明する。この任意モードは、前述したように、スイッチ９を押下した状態で開状態にした場合に、設定されるモードである（図３のステップＡ８）。その内容は、「発着信不可モード」、「簡易操作モード」及び「任意メニューモード」等の中からユーザが任意に選択することができる。
【００３７】
「発着信不可モード」は、折畳型携帯電話機１の無線部１０の無線通信機能を停止して電話やメールの発着信を不可能にするモードである。これは電波圏外の携帯電話機と同様の状態である。この発着信不可モードを使用すると、病院などの電波の影響が考えられるために、携帯電話機の使用が禁止されている場所や、電車、バスなどのマナー上携帯電話機の使用が望まれていない場所でも落ち着いて電子メールの閲覧や作成を行うことができる。
【００３８】
発着信不可モードに変更されると、ＣＰＵ６は無線部１０の無線通信機能を停止する。これにより、折畳型携帯電話機１は無線通信ができず、圏外状態となり、発着信やメール送受信等が不可能になる。また、この発着信不可モード中の開状態から折畳状態に変更すると、折畳型携帯電話機１は折畳モードに変更される（図３のステップＡ１〜Ａ５）。
【００３９】
次に、「簡易操作モード」は、電子メールやブラウザ機能を使用不可能にして、電話としての基本的な機能のみを使用可能とするモードである。このモードは、現在の多機能化した携帯電話機を使いこなせない子供や老人などが電話以外の機能を気にせず気軽に使えることを目的とする。また、基本的な機能のみに制限することにより、所有者以外の第三者による携帯電話機内に記録されている電話番号等の個人情報の閲覧を防ぐことができる。
【００４０】
また、簡易操作モードに変更されると、ＣＰＵ６は発信、着信操作に必要ないキー（数字キー、発信キー、着信キー以外のボタンスイッチ）のオン／オフ動作を停止する。停止後はこれらのキー押下が無効になり、発信、着信操作に必要なキー（数字キー、発信キー、着信キー）のオン／オフ操作しかできないようになる。これにより、折畳型携帯電話機１は、電話番号をキー入力した発信操作と着信応答操作のみが可能な状態になる。この状態が簡易操作モードである。また、この簡易操作モード中の開状態から折畳状態に変更すると、折畳型携帯電話機１は折畳モードに変更される（図３のステップＡ１〜Ａ５）。
【００４１】
次に、「任意メニューモード」は、任意の機能を選択した状態で起動するモードである。このモードでは、従来キー操作によってメニュー選択していた機能（電子メールや着信メロディ等）を任意メニューモード起動時の初期画面に予め設定しておき、任意メニューモードに変更した時の初期画面にその設定した機能を選択した状態で起動する。この任意メニューモードでは、起動時の状態以外は通常モードと同様である。
【００４２】
任意メニューモードは開状態に変更したときの初期画面を任意に設定できるので、通常モードの初期画面からキー操作で目的の機能（電子メールや着信メロディ等）を選択する従来の場合に比べて操作数を減少することが可能となる。この任意メニューモードでは、まず、モード起動時の初期画面にしたい機能を図２に示したメモリ１１に記憶しておく。この初期画面に設定する機能はユーザが任意に選択する。スイッチ９を押下した状態で開状態にしたことにより、選択メニューモードに変更されると、ＣＰＵ６はメモリ１１に記憶されたモード起動時の初期画面の設定情報を読み込み、設定した機能を選択した状態で起動する。初期画面以外の動作は通常モードと同様である。
【００４３】
このように、本実施の形態によれば、開動作時のスイッチ９の操作により、開状態時のモードを選択することが可能となり、これにより折畳型携帯電話機の必須操作である折畳の開閉動作に折畳型携帯電話機のモード選択の操作を付加することができ、従来の折畳型携帯電話機では開状態とした後のキー操作によってメニュー選択を行ってモード選択を行っていたことに比べて、本実施の形態では開閉操作時にモード選択ができるので、選択の手順軽減、簡易化が可能となり、また、ユーザがモードを任意に選択できるので個人に合わせた環境を設定でき、更に、特定の開閉操作とスイッチ操作で使用可能な機能を付加することにより、簡単なセキュリティ機能が可能となる。
【００４４】
上記の第１の実施の形態では、折畳型携帯電話機１の開閉状態及びスイッチ９の押下の有無により、３つのモードのいずれかに切り替えるようにしているが、本発明はモード切替だけでなく、携帯電話機のあらゆる機能、ファンクションメニュー、設定メニュー等の切り替えや機能制限の設定・解除が可能であり、その例として以下に、本発明の第２及び第３の実施の形態として説明する。
【００４５】
本発明の第２の実施の形態では、通常時の折畳型携帯電話機１を「発信不可（着信のみ）」、「電話帳使用不可」といった機能制限状態におき、折畳型携帯電話機１の開閉操作とスイッチ９の押下を特定の手順で行うことにより機能制限を解除できるようにしたものである。
【００４６】
この第２の実施の形態では、折畳型携帯電話機１の折畳状態時に操作可能なスイッチ９を、開閉操作時に押下することでモード切替の条件判断を従来に比べて１つ増やし、開閉検出回路５の出力する開閉状態を示す２種類の開閉検出信号をスイッチ９の押下状態により４種類に分類する。この４種類に分類した開閉検出信号を開閉・スイッチ操作の情報として使用し、この情報を記録し、照合することにより、機能制限した折畳型携帯電話機１の機能制限解除のパスワードとして用いる。これにより、折畳型携帯電話機１の開閉・スイッチ操作をパスワードとしたセキュリティ機能が可能となる。
【００４７】
まず、本実施の形態における折畳型携帯電話機１の開閉・スイッチ操作による開閉検出信号の分類について図５のフローチャートと共に説明する。折畳型携帯電話機１の開閉又はスイッチ９の操作を行うと（ステップＢ１）、開閉検出回路５から開状態又は折畳状態を示す論理値の開閉検出信号が送出される（ステップＢ２）。図２に示した折畳型携帯電話機１のＣＰＵ６は、この開閉検出信号が開状態の論理値であるかどうか判定し（ステップＢ３）、開状態ではなく折畳状態の論理値を示しているときには、スイッチ９が押下されたかどうか判定する（ステップＳ４）。スイッチ９が押下されているときには、Ｗ１に分類し（ステップＳ５）、スイッチ９が押下されていないときには、Ｗ２に分類する（ステップＳ６）。
【００４８】
一方、ステップＢ３で開閉検出信号が開状態の論理値を示していると判定したときには、ＣＰＵ６は、スイッチ９が押下されたかどうか判定する（ステップＳ７）。スイッチ９が押下されているときには、Ｗ３に分類し（ステップＳ８）、スイッチ９が押下されていないときには、Ｗ４に分類する（ステップＳ９）。以上をまとめると、ＣＰＵ６は（１）折畳状態でスイッチ９押下；Ｗ１、（２）折畳状態でスイッチ押下なし；Ｗ２、（３）開状態でスイッチ９押下；Ｗ３、（４）開状態でスイッチ９押下なし；Ｗ４の計４種類の分類のうちのいずれか一種類の分類を検出する。
【００４９】
上記の４種類の分類は、図６のタイムチャートでも示すことができる。図６（Ｂ）、（Ｄ）に示すように開閉検出信号が開状態を示すＨレベルから折畳状態を示すＬレベルに変化した時、スイッチ９が図６（Ａ）に模式的に示すように既に押下されているときには、Ｗ１に分類され、同図（Ｃ）に模式的に示すようにスイッチ９が押下されていないときには、Ｗ２に分類される。
【００５０】
一方、図６（Ｆ）、（Ｈ）に示すように開閉検出信号が折畳状態を示すＬレベルから開状態を示すＨレベルに変化した時、スイッチ９が図６（Ｅ）に模式的に示すように既に押下されているときには、Ｗ３に分類され、同図（Ｇ）に模式的に示すようにスイッチ９が押下されていないときには、Ｗ４に分類される。
【００５１】
なお、上記の説明では、開閉検出信号の論理値（レベル）が変化した瞬間の、スイッチ９の押下の有無により状態を分類しているが、他の方法として、開閉検出信号の論理値（レベル）が変化してからスイッチ９の押下までのタイミングをユーザが任意に設定する方法がある。この場合、開閉検出信号の変化から任意の時間内にスイッチ９が押下されれば、開閉状態変化時にスイッチ９を押下したものとして判定する。このときの時間はユーザが任意に決定する。
【００５２】
次に、第２の実施の形態の動作について、図７のフローチャートを併せ参照して説明する。まず、機能制限の内容と機能制限を解除するための開閉・スイッチの特定操作を折畳型携帯電話機１のメモリ１１に記録する（ステップＣ１）。機能制限の内容は「発信不可（着信のみ）」、「電話帳使用不可」といった内容をユーザが任意に決定する。
【００５３】
また、機能制限解除操作も、任意にユーザが決定する。機能制限解除操作の記録手段は２種類あり、一つは実際に開閉・スイッチ操作を行い、その操作情報をメモリ１１に記録して、その記録を機能制限解除操作として設定する方法、もう一つはメニュー選択により機能制限解除操作を設定する方法である。この機能制限解除操作のメモリ１１への記録、登録方法については後述する。
【００５４】
機能制限内容、機能制限解除操作をメモリに記憶した後（ステップＣ１）、ＣＰＵ６は機能制限を開始すると（ステップＣ２）、折畳型携帯電話機１は機能制限状態に変更され、開閉検出回路５からの開閉検出信号の情報をメモリ１１に記録開始する（ステップＣ３）。機能制限開始後、折畳型携帯電話機１の開閉・スイッチ操作を行うと（ステップＣ４）、開閉検出回路５から開閉検出信号がＣＰＵ６へ送出される（ステップＣ５）。
【００５５】
ＣＰＵ６は、この開閉検出信号が開状態の論理値であるかどうか判定し（ステップＣ６）、開状態ではなく折畳状態の論理値を示しているときには、スイッチ９が押下されたかどうか判定し（ステップＣ７）、スイッチ９が押下されているときには、Ｗ１に分類し（ステップＣ８）、スイッチ９が押下されていないときには、Ｗ２に分類する（ステップＣ９）。一方、ステップＣ６で開閉検出信号が開状態の論理値を示していると判定したときには、ＣＰＵ６は、スイッチ９が押下されたかどうか判定し（ステップＣ１０）、スイッチ９が押下されているときには、Ｗ３に分類し（ステップＣ１１）、スイッチ９が押下されていないときには、Ｗ４に分類する（ステップＣ１２）。
【００５６】
上記の４種類の分類のうち、現在の開閉状態及びスイッチ９の押下の有無に応じて決定された一つの分類をＣＰＵ６はメモリ１１に記録する（ステップＣ１３）。この記録は、開閉操作を行う毎に蓄積される。ただし、蓄積記録は機能制限解除操作と同じ操作回数分だけ行われる。例えば、機能制限解除操作が「→閉→開→閉」の３回の操作であった場合、メモリ１１には最新３回分の情報だけ記録され、４回目の情報は消去される。
【００５７】
この記録は、機能制限解除操作として記録した情報と開閉操作を行う毎に照合され（ステップＣ１４）、記録が機能制限解除操作と一致した場合、ＣＰＵ６は折畳型携帯電話機１の機能制限を解除して（ステップＣ１５）、処理を終了する。記録が機能制限解除操作と一致しない場合は、機能制限状態のまま引き続き開閉操作時の開閉検出信号変化の記録、照合を繰り返す（ステップＣ４〜Ｃ１４）。
【００５８】
また、開閉操作解除操作を忘れた場合のため、文字入力でのパスワード入力による機能制限解除機能を付加する。この第２の実施の形態により、機能制限解除操作を知らないユーザによる折畳型携帯電話機の使用を制限することが可能となる。また、機能制限を「発信不可（着信のみ）」に設定しておくことにより、所有者以外の第三者による折畳型携帯電話機の悪用を防ぐことができる。また、「電話帳使用不可」に設定しておくことにより、所有者以外の第三者が携帯電話機に記録した電話番号の閲覧を防ぐことができる。
【００５９】
次に、図７のステップＣ１の機能制限解除操作の記録、登録方法について詳細に説明する。機能制限解除操作の記録手段は２種類あり、一つは実際に開閉・スイッチ操作を行って操作情報をメモリ１１に記録し、その記録を機能制限解除の操作として設定する方法、もう一つはメニュー選択により機能制限解除操作を選択する方法がある。
【００６０】
まず、一つ目の実際に開閉・スイッチ操作を行う、その操作記録を機能制限解除の操作として記録する場合について図８のフローチャートと共に説明する。まず、機能制限解除操作の記録を開始する（ステップＤ１）。記録開始後、折畳型携帯電話機１の開閉、スイッチ９の操作を行うと（ステップＤ２）、開閉状態の変化に伴い、開閉検出回路５から送出される開閉検出信号の論理値が変化する（ステップＤ３）。
【００６１】
ＣＰＵ６は、この開閉検出信号の論理値が開状態及び折畳状態のどちらを示しているかを判定し（ステップＤ４）、その判定結果とスイッチ９が押下されているか否かを示すスイッチ９からの信号とに基づいて、前述のように４種類の分類Ｗ１、Ｗ２、Ｗ３及びＷ４のいずれか一つに分類してその分類をメモリ１１に記録する（ステップＤ５〜Ｄ１１）。このとき、操作回数もメモリ１１に記録される（ステップＤ１２）。
【００６２】
以上の処理は記録終了の操作を行うまで開閉操作を行う毎に繰り返し行われ（ステップＤ１３、Ｄ２〜Ｄ１２）、メモリ１１に操作回数と共に記録される。記録終了後、この記録は機能制限解除操作としてメモリ１１に登録される（ステップＤ１４）。これにより、例えば、スイッチ９未押下で、１回折畳状態から開状態とした後、スイッチ９押下で１回折畳状態から開状態操作を行った場合、次のように記録される。すなわち、開状態→「閉、スイッチ９未押下（Ｗ２）」→「開、スイッチ９未押下（Ｗ４）」→「閉、スイッチ９押下（Ｗ１）」→「開、スイッチ９押下（Ｗ３）」である。この記録方法では、折畳型携帯電話機１は記録開始、終了時は必ず開状態にある。
【００６３】
次に、メニュー選択により機能制限解除操作を設定する方法について説明する。この方法では、折畳型携帯電話機１の開閉・スイッチ９操作による４種類の分類（前述のＷ１、Ｗ２、Ｗ３、Ｗ４）をメモリ１１に予め登録しておき、ユーザがメニュー操作で４種類の分類パターンを組み合わせて機能制限解除操作として登録する。
【００６４】
この方法では、スイッチ９を押下したまま、２度開閉操作をすると（最初は折畳状態の場合）、メモリ１１には次のように登録がされる。すなわち、折畳状態→「開、スイッチ９押下（Ｗ３）」→「閉、スイッチ９押下（Ｗ１）」→「開、スイッチ９押下（Ｗ３）」→「閉、スイッチ９押下（Ｗ１）」である。また、メモリ１１には開閉操作回数４回も記録される。
【００６５】
この第２の実施の形態の機能制限解除の対象となる機能（機能制限時に制限される機能）は、下記の通りである。
【００６６】
（１）無線制限
「発信不可」：電話の発信を不可能にする。
「着信応答不可」：着信時の応答を不可能にする。
「着信不可」：着信不可制限中は着信通知があっても応答しない。圏外での着信時と同様の状態になる。
「データ送受信不可」：ブラウザ機能、電子メールの送受信を不可能にする。
「無線不可」：携帯電話機の無線機能を停止して、圏外と同様の状態にする（第１の実施の形態の発着信不可モードと同様の状態）。
【００６７】
（２）情報閲覧制限
「電話帳使用不可」：折畳型携帯電話機に記録されている電話帳の閲覧を不可能にする。
「発信履歴使用不可」：発信履歴の閲覧を不可能にする。
「着信履歴使用不可」：着信履歴の閲覧を不可能にする。
【００６８】
（３）操作制限
「キー使用不可」：任意のキー（ただし、スイッチ９を除く）を使用不可能にする。例えば、数字キー、発信キー、着信キー以外のキーを使用不可に設定すると、ダイヤル入力による発信と着信応答のみが可能な状態となる（第１の実施の形態の簡易操作モードと同様の状態）。
【００６９】
このように、第２の実施の形態では、上記の各種の機能制限の中からユーザが任意に設定する。これらの機能制限を組み合わせた機能制限も可能である。
【００７０】
次に、本発明の第３の実施の形態について説明する。第３の実施の形態では、折畳型携帯電話機１の機能設定を複数種類（例えば、通話音量や待ち受け画面の設定、着信音、マナーモード等の設定）用意し、折畳型携帯電話機１の開閉操作とスイッチ９の押下を特定の手順で行うことにより機能設定を切り替えできるようにしたものである。
【００７１】
この第３の実施の形態では、第２の実施の形態と同様に、折畳型携帯電話機１の開閉状態とスイッチ９の押下の有無に応じた４種類の分類を使用し、この分類情報を記録、照合することにより、折畳型携帯電話機の機能設定の切り替えに使用する。すなわち、折畳型携帯電話機１の設定を、特定の手順で行うことにより切り替えることが可能である。
【００７２】
一例として、内容の異なる３種類の機能設定と、その機能設定毎に対応する開閉・スイッチ操作の手順を用意しておき、それを機能設定▲１▼〜▲３▼、開閉・スイッチ操作▲１▼〜▲３▼とすると、折畳型携帯電話機１において開閉・スイッチ操作手順▲１▼を行うと機能設定▲１▼に設定が変更され、開閉・スイッチ操作手順▲２▼を行うと機能設定▲２▼に設定が変更され、開閉・スイッチ操作手順▲３▼を行うと機能設定▲３▼に設定が変更されるというように、折畳型携帯電話機１の機能設定が開閉操作とスイッチ９の操作で変更が可能となる。
【００７３】
この第３の実施の形態では、前記第２の実施の形態の「開閉・スイッチ操作による機能制限解除」と同様に、（１）折畳状態でスイッチ９押下；Ｗ１、（２）折畳状態でスイッチ押下なし；Ｗ２、（３）開状態でスイッチ９押下；Ｗ３、（４）開状態でスイッチ９押下なし；Ｗ４の計４種類に分類する。
【００７４】
次に、本実施の形態の機能設定の内容と機能設定毎の開閉・スイッチの特定操作を折畳型携帯電話機内部のメモリ１１へ記録する動作について説明する。機能設定の内容としては、通話音量や待ち受け画面の設定、着信音、マナーモードの設定等があり、ユーザが任意に設定した設定内容をメモリ１１に記録する。機能設定に対応する開閉・スイッチ操作の記録方法には２種類ある。一つは実際に開閉・スイッチ操作を行って操作情報をメモリ１１に記録し、その記録を開閉・スイッチ操作手順として設定する方法、もう一つはメニュー選択により開閉・スイッチ操作手順を選択する方法である。
【００７５】
まず、一つ目の実際に開閉・スイッチ操作を行い、その操作情報をメモリ１１に記録する方法について、図９のフローチャートと共に説明する。まず、開閉・スイッチ操作手順の記録を開始する（ステップＥ１）。記録開始後、折畳型携帯電話機１の開閉・スイッチ操作を行うと（ステップＥ２）、開閉状態の変化に伴い、開閉検出回路５から送出される開閉検出信号の論理値が変化する（ステップＥ３）。
【００７６】
ＣＰＵ６は、この開閉検出信号の論理値が開状態及び折畳状態のどちらを示しているかを判定し（ステップＥ４）、その判定結果とスイッチ９が押下されているか否かを示すスイッチ９からの信号とに基づいて、前述のように４種類の分類Ｗ１、Ｗ２、Ｗ３及びＷ４のいずれか一つに分類してその分類をメモリ１１に記録する（ステップＥ５〜Ｅ１１）。このとき、操作回数もメモリ１１に記録される（ステップＥ１２）。
【００７７】
以上の処理は記録終了の操作を行うまで開閉操作を行う毎に繰り返し行われ（ステップＥ１３、Ｅ２〜Ｅ１２）、メモリ１１に操作回数と共に記録される。記録終了後、この記録は開閉・スイッチ操作としてメモリ１１に登録される（ステップＥ１４）。これにより、例えば、スイッチ９未押下で、１回折畳状態から開状態とした後、スイッチ９押下で１回折畳状態から開状態操作を行った場合、次のように記録される。すなわち、開状態→「閉、スイッチ９未押下（Ｗ２）」→「開、スイッチ９未押下（Ｗ４）」→「閉、スイッチ９押下（Ｗ１）」→「開、スイッチ９押下（Ｗ３）」である。この記録方法では、折畳型携帯電話機１は記録開始、終了時は必ず開状態にある。
【００７８】
次に、メニュー選択により開閉・スイッチ操作を設定する方法について説明する。この方法では、折畳型携帯電話機１の開閉・スイッチ９操作による４種類の分類（前述のＷ１、Ｗ２、Ｗ３、Ｗ４）をメモリ１１に予め登録しておき、ユーザがメニュー操作で４種類の分類パターンを組み合わせて開閉・スイッチ操作として登録する。
【００７９】
この方法では、スイッチ９を押下したまま、２度開閉操作をすると（最初は折畳状態の場合）、メモリ１１には次のように登録がされる。すなわち、折畳状態→「開、スイッチ９押下（Ｗ３）」→「閉、スイッチ９押下（Ｗ１）」→「開、スイッチ９押下（Ｗ３）」→「閉、スイッチ９押下（Ｗ１）」の場合、メモリ１１には「Ｗ３→Ｗ１→Ｗ３→Ｗ１」として開閉操作回数４回と併せて記録される。
【００８０】
次に、第３の実施の形態の動作について、図１０のフローチャートと共に説明する。まず、機能設定の内容と機能設定毎の開閉・スイッチの特定操作を、例えば図９のフローチャートに従って折畳型携帯電話機内部のメモリ１１に記録する（ステップＦ１）。続いて、開閉・スイッチ操作による機能設定の変更を有効にする（ステップＦ２）。ただし、開閉・スイッチ操作は操作内容が同じもの、操作内容が重なるものは同時に機能設定切り替えを有効にできない。例えば、機能設定▲１▼の操作内容が「→Ｗ３→Ｗ１→Ｗ３→Ｗ１」であり、機能設定▲２▼の操作内容が「→Ｗ３→Ｗ１→Ｗ３→Ｗ１→Ｗ３→Ｗ１」である場合、機能設定▲１▼の操作内容が機能設定▲２▼の操作内容に重なるため、機能設定▲２▼に設定変更することが不可能である。
【００８１】
機能設定の変更を有効にした後、折畳型携帯電話機１は開閉操作時の開閉検出回路からの開閉検出信号のメモリ１１への記録を開始する（ステップＦ３）。この記録開始後、折畳型携帯電話機１の開閉・スイッチ操作を行うと（ステップＦ４）、開閉検出回路５から開閉状態を示す開閉検出信号がＣＰＵ６へ送出される（ステップＦ５）。
【００８２】
ＣＰＵ６は、この開閉検出信号の論理値が開状態及び折畳状態のどちらを示しているかを判定し（ステップＦ６）、その判定結果とスイッチ９が押下されているか否かを示すスイッチ９からの信号とに基づいて、前述のように４種類の分類Ｗ１、Ｗ２、Ｗ３及びＷ４のいずれか一つに分類してその分類をメモリ１１に記録する（ステップＦ７〜Ｆ１２）。この記録は、開閉操作を行う毎に蓄積記録される。ただし、蓄積記録は設定した開閉・スイッチ操作と同じ操作回数分だけ行われる。
【００８３】
ただし、複数の開閉・スイッチ操作が設定されている場合は、最も操作回数が多いものと同数回分の操作が記録される。例えば、開閉・スイッチ操作が「→閉→開→閉」の３回の操作であった場合、メモリ１１には最新３回分の情報だけ記録され、４回目の情報は消去される。
【００８４】
この記録は機能設定毎の開閉・スイッチ操作として記録した情報と開閉操作を行う毎に合致するかどうか照合され（ステップＦ１４）、合致した場合、ＣＰＵ６は折畳型携帯電話機１の合致した開閉・スイッチ操作に対応した機能設定に折畳携帯電話機１を変更する（ステップＦ１５）。機能設定を変更した場合、メモリ１１に逐次記録していた開閉・スイッチ操作の情報を消去後（ステップＦ１６）、引き続き開閉操作時の開閉検出信号変化の記録、照合を繰り返す（ステップＦ４〜Ｆ１４）。また、機能設定が２種類の場合のみ、１種類の開閉・スイッチ手順操作で機能設定を切り替えて行うことが可能である。
【００８５】
開閉・スイッチ操作内容の設定例を下記に示す。２種類の設定を切り替える場合、「スイッチ９押下のまま２度開閉操作をする」を機能設定▲１▼とすると、その操作内容は「→Ｗ３→Ｗ１→Ｗ３→Ｗ１」であり、「スイッチ９未押下で１回開閉後、スイッチ９押下で１回開閉操作をする」を機能設定▲２▼とすると、その操作内容は「→Ｗ２→Ｗ４→Ｗ１→Ｗ３」である。
【００８６】
また、同じ操作で２種類の設定を切り替える場合として、例えば、「スイッチ９押下のまま２度開閉操作をする」を機能設定▲１▼及び▲２▼とする例があり、その操作内容は「→Ｗ３→Ｗ１→Ｗ３→Ｗ１」であり、その同じ操作により機能設定▲１▼及び▲２▼の交互切り替えを行う。つまり、機能設定▲１▼にあるときに、スイッチ９押下のまま２度開閉操作をすると機能設定▲２▼に切り替わり、機能設定▲２▼にあるときに、スイッチ９押下のまま２度開閉操作をすると機能設定▲１▼に切り替わる。
【００８７】
切り替え設定される機能種類数は３以上でも可能である。また、切替できる内容は機能設定だけでなく、モードの切替や機能制限状態への切り替えも可能である。モード切替は従来の「通常モード」及び「折畳モード」と、第１の実施の形態で説明した「発着信不可モード」、「簡易操作モード」、「選択メニューモード」の切り替え、第２の実施の形態で説明した機能制限とその解除の切り替えも可能である。下記はその例である。
【００８８】
第１の実施の形態と同様に、スイッチ９の押下で開状態にした時のみ機能が切り替わる場合、「→Ｗ１  折畳モード」、「→Ｗ２  折畳モード」、「→Ｗ３  任意に設定したモード（前述の「発着信不可モード」、「選択メニューモード」等）」、「→Ｗ４  通常モード」である。機能制御は、開閉・スイッチ操作により、数種の機能制限状態と機能制限されていない状態を切り替える。機能制限できる内容は第２の実施の形態で説明した内容と同様である。
【００８９】
下記はその設定例である。機能制限を特定の開閉・スイッチ操作で解除する場合、「スイッチ９押下のまま２度開閉操作をする」ことで機能制限を解除すると設定した場合、「→Ｗ３→Ｗ１→Ｗ３→Ｗ１」で機能制限が解除される。また、同じ操作で機能制限のオン／オフを行う場合、「スイッチ９の押下のまま２度開閉操作をする」ことで機能制限のオン／オフを行うように設定した場合、非機能制限時に「→Ｗ３→Ｗ１→Ｗ３→Ｗ１」で機能制限モードとなり、機能制限時に「→Ｗ３→Ｗ１→Ｗ３→Ｗ１」で機能制限解除モードとなる。
【００９０】
なお、本発明は以上の実施の形態に限定されるものではなく、その他種々の変形例も包含するものである。例えば、スイッチ９は図１では下側筐体部２の側面に形成されているが、折畳状態で押下可能な位置であればどこでもよく、従って例えば、図１１に示すように、上側筐体部３の側面に設けるようにしてもよい。これ以外にも上側筐体部３の側面以外の外側面（前面、後面、天面）、下側筐体部２の側面以外の外側面（前面、後面、底面）、ヒンジ機構４の側面などにスイッチ９を設けるようにしてもよい。また、スイッチ９は複数設けてどれを押下してもよいこととしてもよい。
【００９１】
また、以上の実施の形態では、開閉検出信号が変化した瞬間のスイッチ９の押下状態で状態を判定する方法、又は開閉検出信号が変化してからユーザが設定した任意の時間内のスイッチ９の押下の有無で状態を判定する方法を説明したが、開閉動作中にスイッチ９を押し続けたり、瞬間的に押下したり、あるいは開閉動作中又は開閉検出信号が変化してからユーザが設定した任意の時間内のスイッチ９の押下回数により複数の状態のどれかを識別判定するようにしてもよい。
【００９２】
この場合は、例えば第１の実施の形態では、開状態でスイッチ９押下時に発着信不可モード、簡易操作モード及び選択メニューモードの中から予め選択した一つのモードに切り替えているが、スイッチ９の押下回数を発着信不可モード、簡易操作モード及び選択メニューモードにそれぞれ割り当てることで、スイッチ９の押下回数でこれら３つのモードのどれかに選択することも可能である。更に、スイッチ９は押しボタンスイッチに限定されるものではなく、スライドスイッチ、レバースイッチ等の他の形態のスイッチでも使用可能であることは勿論である。
【００９３】
また、図１では、上側筐体部３にディスプレイ８が設けられ、下側筐体部２に他の構成部品が内蔵されているが、それらの配置位置は上側筐体部３と下側筐体部２のどちらでもよい。また、開閉検出回路５は、磁石とリードスイッチを利用した構成以外に、メカニカルスイッチにより開閉状態を検出して開閉検出信号を出力する構成でもよい。
【００９４】
【発明の効果】
以上説明したように、本発明によれば、折畳状態か開状態かのいずれであるかの開閉情報とスイッチの操作の有無情報とに基づいて、少なくとも予め設定された３種類のモードのうちのいずれか一のモードに切り替え設定することにより、折畳型携帯電話機の必須操作である開閉動作に折畳型携帯電話機のモード選択の操作を付加するようにしたため、モード選択の操作の手順の削減と簡略化ができる。
【００９５】
また、本発明によれば、モード選択により選択されるモードのうち任意モードを選択できるようにしたため、個別のユーザに各々対応したモード選択ができ、ユーザ個々に併せた環境を設定できる。
【００９６】
また、本発明によれば、ユーザが予め設定した機能制限状態を、ユーザが決定して記憶手段に記憶されている分類列と同じ分類列が入力されるように、開閉操作及びスイッチ操作を行わない限り、機能制限状態が解除されないようにすることにより、ユーザ以外の第三者では機能制限状態を解除できないため、セキュリティ機能を向上することができる。
【００９７】
また、本発明によれば、予め用意された複数種類の機能設定のうち、ユーザが決定して記憶手段に記憶されている分類列と同じ分類列が入力されるように、開閉操作及びスイッチ操作を行うことにより、入力した分類列に対応する機能設定に切り替えるようにしたため、簡単な操作により所望の機能設定ができる。
【図面の簡単な説明】
【図１】本発明になる折畳型携帯電話機の一実施の形態の概略外観斜視図である。
【図２】本発明になる折畳型携帯電話機の一実施の形態のブロック図である。
【図３】開状態から折畳状態に変更した時の第１の実施の形態の動作説明用フローチャートである。
【図４】本発明の第１の実施の形態における通常モードと任意モードに変更するときのスイッチと開閉検出信号の関係を示す図である。
【図５】本発明の第２の実施の形態における折畳型携帯電話機の開閉・スイッチ操作による開閉検出信号の分類を示す図である。
【図６】本発明の第２の実施の形態におけるスイッチと開閉検出信号の関係を示す図である。
【図７】本発明の第２の実施の形態の動作説明用フローチャートである。
【図８】図７中の機能制限の内容、機能制限解除操作の記録ステップの詳細説明用フローチャートである。
【図９】開閉・スイッチ操作を行い、その操作情報をメモリ１１に記録する方法の説明用フローチャートである。
【図１０】本発明の第３の実施の形態の動作説明用フローチャートである。
【図１１】本発明になる折畳型携帯電話機の他の実施の形態の概略外観斜視図である。
【符号の説明】
１  折畳型携帯電話機
２  下側筐体部
３  上側筐体部
４  ヒンジ機構
５  開閉検出回路
６  中央処理装置（ＣＰＵ）
７  ボタンスイッチ
８  ディスプレイ
９  スイッチ
１０  無線部
１１  メモリ
【図１】
0003709356.tif 000002
【図２】
0003709356.tif 000003
【図３】
0003709356.tif 000004
【図４】
0003709356.tif 000005
【図５】
0003709356.tif 000006
【図６】
0003709356.tif 000007
【図７】
0003709356.tif 000008
【図８】
0003709356.tif 000009
【図９】
0003709356.tif 000010
【図１０】
0003709356.tif 000011
【図１１】
0003709356.tif 000012